(57)【特許請求の範囲】
【請求項１】
内部に液体を注入かつ収容可能とする可撓性の容器と、この容器の上面膜から上方に向って突出すると共にこの上面膜に固着され、その内孔が上記容器の内外を連通させる調圧パイプとを備え、
上記調圧パイプ内に収容される液体の上記上面膜からの高さを所望高さに調整自在とする調整装置を備え、この調整装置が、上記調圧パイプのパイプ壁に、その長手方向に沿って複数成形される貫通孔と、これら各貫通孔をそれぞれ開閉自在に閉じる蓋体とを備えた水、土留め用等多目的可撓性容器装置。
【請求項２】
上記容器が、その外殻を構成する外容器と、この外容器の内部に収容されて液体を注入かつ収容可能とする不透液体性膜材で成形された内容器とを備え、この内容器の上面膜に上記調圧パイプを固着させた請求項１に記載の水、土留め用等多目的可撓性容器装置。
【請求項３】
上記内容器を複数設け、これら内容器を水平方向に並設した請求項２に記載の水、土留め用等多目的可撓性容器装置。
【請求項４】
上記容器の断面視で上記内容器に液体を充満させたとき、上記外容器の内面のほぼ全体にわたり、上記内容器の外面が圧接するようにした請求項２、もしくは３に記載の水、土留め用等多目的可撓性容器装置。
【請求項５】
上記容器の内部を仕切膜で仕切って複数の区画室を成形し、これら区画室を水平方向に並設した請求項１から４のうちいずれか１つに記載の水、土留め用等多目的可撓性容器装置。
【発明の詳細な説明】
【０００１】
【発明が属する技術分野】
本発明は、埋立地などの水域で汚濁水が拡散しようとすることを防止する拡散防止膜を岸側に連結させて水中の所定位置に保持させる連結体として用いられたり、水留めや土留め用として用いられるなど、多目的に用いられる可撓性容器を備えた容器装置に関するものである。
【０００２】
【従来の技術】
例えば、埋立地における水域の水中における汚濁水の拡散防止装置は、一般に、水平方向における一方向かつ上下方向に延びて水中に張設される汚濁水の拡散防止膜と、この拡散防止膜の上記一方向における端部を岸側に連結させるコンクリート製の連結体とを備えている。
【０００３】
そして、埋立地における汚濁水の発生水域と、他の清浄な水域とが上記拡散防止膜により互いに分断されて、上記汚濁水の発生水域で生じる汚濁水が、上記他の清浄な水域に向って拡散する、という不都合の発生が防止されている。
【０００４】
上記の場合、埋立地における水中には、一般に、水流があるため、上記連結体は拡散防止膜を介し上記水流から大きな負荷を受け、上記連結体が無意図的に移動させられるおそれがあり、このため、この負荷に対抗する必要上、上記連結体は重量物とされている。
【０００５】
【発明が解決しようとする課題】
ところで、上記連結体を設置する岸側は浅瀬など、足場の悪い場合が多いため、上記した重量物である連結体を上記所定位置に搬送して設置するという作業は煩雑になりがちである。
【０００６】
そこで、上記連結体を可撓性容器を備えた容器装置で構成し、まず、上記岸側の所定位置に上記容器を空の軽い状態で搬送し、次に、この容器に水などの液体を注入かつ収容させることにより所定の重量にさせ、もって、この容器装置を上記岸側に対し移動し難いように載置して上記連結体として機能させるようにし、このようにして、上記連結体を設置させる作業を容易にさせることが考えられる。
【０００７】
しかし、上記容器に単に液体を収容させただけのこの容器内の液体圧では、この容器の各部において、上記液体圧で生じる面方向の引張応力の値が小さくなり、つまり、液体を収容した状態の容器の剛性を十分には確保できないおそれがある。
【０００８】
よって、上記拡散防止膜側からの引張力で、上記容器が容易に変形するおそれがあり、このような変形が生じると、上記容器装置に連結された拡散防止膜が、水中の所定位置に保持されなくなって、汚濁水の拡散防止が不十分になるおそれを生じる。
【０００９】
また、上記容器装置が水留めや土留めに用いられる場合にも、上記したように液体を収容した状態の容器の剛性が十分に確保できない場合には、水や土からの負荷で容易に変形するおそれがあり、このように変形すると、水、土留めが十分にはできなくなるおそれがある。
【００１０】
本発明は、上記のような事情に注目してなされたもので、容器装置において、液体を収容した状態での容器の剛性をより向上させるようにして、この容器に与えられる外力に対し、変形することなく強固に対抗できるようにし、かつ、この容器の剛性の向上が簡単な構成で達成されるようにすることを課題とする。
【００１１】
また、上記容器装置の寿命を向上させるようにすることを課題とする。
【００１２】
【課題を解決するための手段】
上記課題を解決するための本発明の水、土留め用等多目的可撓性容器装置は、次の如くである。
【００１３】
請求項１の発明は、全図に例示するように、内部に液体１２を注入かつ収容可能とする可撓性の容器１３と、この容器１３の上面膜２５から上方に向って突出すると共にこの上面膜２５に固着され、その内孔が上記容器１３の内外を連通させる調圧パイプ２８とを備えたものである。
【００１４】
また、上記調圧パイプ２８内に収容される液体１２の上記上面膜２５からの高さＣを所望高さに調整自在とする調整装置３５を備え、この調整装置３５が、上記調圧パイプ２８のパイプ壁に、その長手方向に沿って複数成形される貫通孔３６と、これら各貫通孔３６をそれぞれ開閉自在に閉じる蓋体３７とを備えたものである。
【００１５】
請求項２の発明は、全図に例示するように、請求項１の発明に加えて、上記容器１３が、その外殻を構成する外容器１４と、この外容器１４の内部に収容されて液体１２を注入かつ収容可能とする不透液体性膜材で成形された内容器１５とを備え、この内容器１５の上面膜２５に上記調圧パイプ２８を固着させたものである。
【００１６】
請求項３の発明は、図５に例示するように、請求項２の発明に加えて、上記内容器１５を複数設け、これら内容器１５，１５を水平方向に並設したものである。
【００１７】
請求項４の発明は、全図に例示するように、請求項２、もしくは３の発明に加えて、上記容器１３の断面視で上記内容器１５に液体１２を充満させたとき、上記外容器１４の内面のほぼ全体にわたり、上記内容器１５の外面が圧接するようにしたものである。
【００１８】
請求項５の発明は、図６に例示するように、請求項１から４のうちいずれか１つの発明に加えて、上記容器１３の内部を仕切膜４３で仕切って複数の区画室４４，４４を成形し、これら区画室４４，４４を水平方向に並設したものである。
【００１９】
【発明の実施の形態】
以下、本発明の実施の形態を図面により説明する。
【００２０】
（第１の実施の形態）
【００２１】
図１〜４は、第１の実施の形態を示している。
【００２２】
図において、符号１は、海岸における埋立地等の水域であり、この水域１の水中２における汚濁水の拡散を防止するため、汚濁水拡散防止装置３が設けられている。この拡散防止装置３は、埋立等により生じる汚濁水の発生水域と、この水域に隣接する清浄な水域とを仕切り、上記発生水域から清浄な水域に汚濁水が拡散しようとすることを防止する。
【００２３】
上記拡散防止装置３は、水平方向における一方向Ａかつ上下方向に延びて水中２に張設される汚濁水の拡散防止膜４と、この拡散防止膜４の上端縁に沿って複数配置されると共にこの上端縁に取り付けられ水面５上に浮かべられて上記拡散防止膜４を吊り下げ状に支持するフロート６と、上記拡散防止膜４の上記一方向Ａにおける各端部を、上記水域１の岸側７にそれぞれ連結させる一対の連結体とを備え、この連結体は、以下詳述する可撓性容器装置８で構成されている。
【００２４】
上記各容器装置８は、その内部に上記水域１の水である液体１２を液体ポンプ等により注入可能とさせ、かつ、収容可能とする膜材製で可撓性の容器１３を備え、この容器１３は液体１２を収容して岸側７の上面に対し、その重量により、移動し難いよう載置可能とされている。
【００２５】
上記容器１３は、上記拡散防止膜４側からの引張力に強度的に対抗するよう上記一方向Ａに沿って長く延びる長尺体とされている。上記容器１３はその外殻を構成して上記一方向Ａに沿って長く延びるチューブ形状の外容器１４と、上記一方向Ａに沿って長く延びこの外容器１４の内部に収容されて上記液体１２を注入かつ収容可能とするチューブ形状の内容器１５とを備えている。
【００２６】
上記外容器１４の長手方向（一方向Ａ）の各端部は外方に向って開口しており、上記外容器１４の端部を折り返すことにより、これら各端部の開口が開放可能に閉塞されている（図２）。つまり、上記外容器１４は、長尺のチューブ材を所望長さに次々と切断することにより、成形されている。一方、上記内容器１５は、その長手方向（一方向Ａ）の各端部が予め閉塞されており、このようにして、内容器１５の内部は密閉空間とされている。
【００２７】
上記外容器１４はジオテキスタイルなど引張強度の大きい膜材製とされ、これら膜材の縫い加工や、接着加工により成形される。一方、上記内容器１５は上記外容器１４よりも引張強度は小さいが塩ビシートなど不透液体性膜材製とされ、金型などにより一体成形されている。
【００２８】
上記一方向Ａに沿った視線でみた上記容器１３の断面視（図３）で、かつ、水平方向であって上記一方向Ａに直交する直交方向Ｂに沿った視線でみた上記容器１３の断面視（図２）で、上記内容器１５に液体１２を充満させたとき、上記外容器１４の内面のほぼ全体にわたり、上記内容器１５の外面が圧接することとされている。
【００２９】
図２，３において、上記容器装置８は、上記容器１３から延出する膜材製の支持体１８を備えている。この支持体１８は、その一端縁１９が上記容器１３の外容器１４の底面部に連結され、他端縁２０側がほぼ水平な面に沿うよう、かつ、上記容器１３から上記一方向Ａに直交する直交方向Ｂに延出可能とされてその上面に土砂などの重し２１が載置可能とされている。上記支持体１８は、上記外容器１４と同材料のジオテキスタイルとしてもよいが、ジオグリッドなど上記容器１３の外容器１４よりも目が粗くて摩擦係数の大きい網形状の膜材製とされている。
【００３０】
また、上記外容器１４の折り返された端部の下面には、ジオグリッドなどこの外容器１４よりも目が粗くて摩擦係数の大きい網形状かつ可撓性の膜材製摩擦体２４が取り付けられている。
【００３１】
図１〜４において、上記容器装置８は、上記容器１３の外容器１４と内容器１５の各上面膜２５に成形された貫通孔２６を貫通して鉛直方向に延び、その上下方向の中途部が上記内容器１５の貫通孔２６の開口縁にバンド２７により着脱自在に固着される樹脂製で剛性のある調圧パイプ２８を備えている。上記調圧パイプ２８の上部は上記上面膜２５から上方に向って突出し、その上端の開口２９はキャップ３０によって開閉自在に閉じられている。一方、上記調圧パイプ２８の下部は上記上面膜２５から上記内容器１５の内部に向い突出してこの内部に収容され、その下端の開口３１は上記内容器１５の内部に向って開口している。
【００３２】
上記キャップ３０を取り外して、上記調圧パイプ２８の上端の開口２９を開ければ（図４中一点鎖線）、この開口２９と、上記調圧パイプ２８の内孔とを通し上記容器１３の内容器１５の内外が連通させられると共に、この内容器１５内に液体１２が注入可能とされている（図４中一点鎖線矢印）。上記内容器１５内への液体１２の注入により、上記内容器１５に液体１２を充満させるよう収容させ、更に、上記調圧パイプ２８内にも液体１２を収容させれば、この調圧パイプ２８内の液体１２の上記上面膜２５からの高さＣ（水頭）分、上記内容器１５内の圧力が高められる。
【００３３】
上記容器装置８は、上記貫通孔２６から上方に突出した調圧パイプ２８の上部内の液体１２の上記上面膜２５からの高さＣを所望高さに調整自在とする調整装置３５を備えている。この調整装置３５は、上記調圧パイプ２８の上部のパイプ壁に、その長手方向に沿って複数成形される互いに同形同大の貫通孔３６と、これら各貫通孔３６をそれぞれ開閉自在に閉じる互いに同形同大のコルク栓である蓋体３７とを備えている。そして、上記所望高さに位置する貫通孔３６から上記蓋体３７を取り外せば、その貫通孔３６よりも上方の液体１２がこの貫通孔３６を通り排出されて、上記調圧パイプ２８内の液体１２の高さＣが所望高さに調整され、もって、上記内容器１５内の圧力を所望の大きさにさせることができる。この状態で、上記調圧パイプ２８の開口２９と各貫通孔３６をキャップ３０と各蓋体３７で閉じれば、上記内容器１５の内部は密閉される。
【００３４】
上記液体１２の内容器１５内に収容された液体１２は排出可能とされている。この場合、上記容器１３の内容器１５内の液体１２は、この容器１３から調圧パイプ２８を取り外した後の貫通孔２６を通し、もしくは、調圧パイプ２８の内孔を通して液体ポンプにより吸い出してもよく、また、上記内容器１５の底部の一部に予め開閉弁を設けておき、これを開弁させてもよい。また、上記内容器１５の底部の一部を破断させて、排出させるようにしてもよい。
【００３５】
上記構成によれば、容器装置８が、内部に液体１２を注入かつ収容可能とされ、この液体１２を収容して岸側７の上面に載置可能とされる可撓性の容器１３を備えている。
【００３６】
このため、汚濁水の拡散防止膜４を連結させるための容器装置８を埋立地などの岸側７の上面に設置させる作業をする場合には、まず、上記容器装置８の容器１３を上記岸側７の所定位置の上面に載置させ、次に、液体ポンプなどにより上記容器装置８の容器１３に上記水域１の液体１２を注入してその内部に収容させ、もって、この容器装置８に重量を与えることにより、この容器装置８を上記岸側７の上面に設置させればよい。
【００３７】
よって、コンクリート製であって重量物である容器装置を岸側７の所定位置に搬送して設置していた従来に比べて、上記容器装置８を設置する作業は極めて容易となる。
【００３８】
一方、上記容器装置８を撤去する作業をする場合には、この容器装置８の容器１３内から液体ポンプにより液体１２を吸い出すなど排出させ、もって、容器装置８を容器１３の自重に近づけて軽量にさせればよく、しかも、液体１２が特に水である場合には一般にその場の水域１に廃棄しても問題が生じることはない。
【００３９】
よって、重量物である容器装置８をその重量のままで、岸側７の所定位置から撤去していた従来に比べて、上記容器装置８を撤去する作業は極めて容易となる。
【００４０】
また、上記容器１３における液体１２の収容容量を大きくさせることで、上記容器装置８の重量を大きくさせることができ、このようにしても、上記各作業は容易にできる。
【００４１】
そして、上記のようにすれば、岸側７の上面に載置された重量の大きい容器装置８に連結された拡散防止膜４は、水中２の所定位置に、より確実に保持され、もって、汚濁水の拡散防止がより確実に行われる。
【００４２】
また、前記したように、容器装置８は、一端縁１９が容器１３に連結され、他端縁２０側がほぼ水平な面に沿うよう上記容器１３から延出可能とされてその上面に土砂などの重し２１を載置可能とさせる膜材製で摩擦係数の大きい支持体１８と、上記容器１３の下面に取り付けられる摩擦係数の大きい摩擦体２４とを備えている。
【００４３】
このため、上記容器装置８は、上記岸側７の所定位置から無意図的に移動するということが上記支持体１８および／もしくは摩擦体２４により防止され、その位置に、より確実に保持される。
【００４４】
よって、上記岸側７の上面に載置された容器装置８に連結された拡散防止膜４は、水中２の所定位置に、更に確実に保持され、もって、汚濁水の拡散防止がより確実に行われる。
【００４５】
また、前記したように、容器１３が、その外殻を構成する外容器１４と、この外容器１４の内部に収容されて液体１２を注入かつ収容可能とする不透液体性膜材で成形された内容器１５とを備えている。
【００４６】
このため、上記容器１３を岸側７の所定位置に搬送する場合や容器１３の設置後に、上記内容器１５がその外方から何らかの外力を受けて損傷する、ということは上記外容器１４によって防止される。
【００４７】
よって、上記内容器１５における液体１２漏れの防止が長期にわたり維持されて、上記容器装置８の寿命の向上が達成される。
【００４８】
また、前記したように、内部に液体１２を注入かつ収容可能とする可撓性の容器１３と、この容器１３の上面膜２５から上方に向って突出すると共にこの上面膜２５に固着され、その内孔が上記容器１３の内外を連通させる調圧パイプ２８とを備えている。
【００４９】
このため、上記容器装置８の容器１３内に液体１２を充満させて収容させることに加えて、上記調圧パイプ２８内に液体１２を収容させれば、単に容器１３内に液体１２を充満させたときの容器１３内の液体圧に加えて、上記調圧パイプ２８の上部内の液体１２の高さＣ分だけ、上記容器１３内の液体圧を高くさせることができ、これにより、上記液体１２を収容した状態での容器１３の剛性を向上させることができる。
【００５０】
よって、上記容器装置８の容器１３は、これに連結させた拡散防止膜４から引張力を与えられても、この引張力に強固に対抗して変形が防止され、つまり、所定の一定形状に、より確実に保持させられ、また、これに伴い、上記調圧パイプ２８の鉛直方向に延びる姿勢も、そのままの姿勢に、より確実に保持させられて、上記容器１３内の液体圧が所定の高さに維持される。この結果、上記容器装置８に連結された拡散防止膜４は、水中２の所定位置に、より確実に保持され、もって、汚濁水の拡散防止がより確実に行われる。
【００５１】
また、前記したように、調圧パイプ２８内に収容される液体１２の高さＣを所望高さに調整自在とする調整装置３５を備えている。
【００５２】
このため、上記容器１３の内容器１５には、その内部に収容させた液体１２の液体圧で面方向に引張応力が生じるが、上記調圧パイプ２８の上部内の液体１２の高さＣを調整することにより、上記容器１３内の液体圧の高さを調整することができ、これにより、上記引張応力が過大になることが防止される。
【００５３】
よって、上記容器１３の寿命の向上、つまり、容器装置８の寿命の向上が達成される。
【００５４】
また、前記したように、容器１３の断面視で上記内容器１５に液体１２を充満させたとき（図２，３）、上記内容器１５よりも引張強度の大きい外容器１４の内面のほぼ全体にわたり、上記内容器１５の外面が圧接するようにしてある。
【００５５】
このため、上記容器１３の内容器１５には、その内部に収容させた液体１２の液体圧で面方向に引張応力が生じるが、上記液体圧が上記外容器１４でも支持される分、上記引張応力は小さく抑制される。
【００５６】
よって、上記したように、調圧パイプ２８により上記液体圧を高くさせたとしても、上記容器１３の寿命の向上が達成され、つまり、容器装置８の寿命の向上が達成される。
【００５７】
なお、以上は図示の例によるが、液体１２は水の他、へどろなどのスラリーであってもよい。また、容器１３における外容器１４と内容器１５とは互いに一体成形してもよく、容器１３を内容器１５のみで構成してもよい。また、上記外容器１４は目の粗い網製のものや、可撓性の枠形状のものを含む概念とする。また、内容器１５はゴム材料による弾性体であってもよい。また、上記重し２１は杭を含む概念である。
【００５８】
以下の各図は、第２〜５の実施の形態を示している。これら各実施の形態は、前記第１の実施の形態と構成、作用効果において多くの点で共通している。そこで、これら共通するものについては、図面に共通の符号を付してその重複した説明を省略し、異なる点につき主に説明する。また、これら各実施の形態における各部分の構成を、本発明の課題、作用効果に照らして種々組み合せてもよい。
【００５９】
（第２の実施の形態）
【００６０】
図５は、第２の実施の形態を示している。
【００６１】
これによれば、上記内容器１５は水平方向のうち、上記直交方向Ｂで複数（実線図示のもので３本、一点鎖線図示のもので２本）設けられており、上記各内容器１５の内部は互いに独立させられていて、これら内部の間での液体１２の流動は防止されている。また、上記内容器１５，１５は上記直交方向Ｂで並設されている。
【００６２】
このため、上記容器装置８の容器１３が上記内容器１５，１５を並設した方向に向って転動しようとしても、この転動の進行は、これら各内容器１５に収容された液体１２の重量によって防止され、また、これに伴い、上記調圧パイプ２８の鉛直方向に延びる姿勢も、そのままの姿勢に、より確実に保持させられて、上記容器１３内の液体圧が所定の高さに維持される。
【００６３】
よって、上記容器装置８の容器１３は、これに連結させた拡散防止膜４からの引張力で転動しようとするが、この転動は防止される。このため、この容器装置８に連結された拡散防止膜４は、水中２の所定位置に、より確実に保持され、もって、汚濁水の拡散防止がより確実に行われる。
【００６４】
ところで、上記外容器１４は、液体１２を直接に収容するものではなく液体１２の漏れ防止を考慮しないで足りるため、膜材の縫い加工や接着加工により成形することができ、よって、大口径など大形の外容器１４の成形が容易にできる。
【００６５】
一方、上記内容器１５は、液体１２を漏出しないように収容可能とするものであるため、液体１２の漏出のおそれを生じる膜材の縫い加工や接着加工によって内容器１５を成形することは避けられ、もって、金型等で一体成形される。しかし、この場合、大口径で大形の内容器１５の成形は容易でない。
【００６６】
そこで、上記したように、内容器１５を複数設けており、このため、これら各内容器１５は小形とされ、よって、これら内容器１５の成形が容易にでき、つまり、上記容器装置８の成形が容易にできる。
【００６７】
上記調圧パイプ２８と調整装置３５は、図５中二点鎖線で示すように、複数の内容器１５のうちの一部にのみ設けてもよいが、全部にそれぞれ設けてもよい。
【００６８】
また、上記重し２１は、図５中一点鎖線で示すように、杭を含む概念である。
【００６９】
（第３の実施の形態）
【００７０】
図６は、第３の実施の形態を示している。
【００７１】
これによれば、上記容器１３の内部が不透液体性膜材製の仕切膜４３で仕切られて、複数の区画室４４，４４が成形されており、これら区画室４４，４４は互いに独立させられていて、これら区画室４４，４４の間での液体１２の流動は防止されている。また、上記各区画室４４，４４は水平方向のうち上記直交方向Ｂで並設されている。
【００７２】
このため、上記容器装置８の容器１３が上記区画室４４，４４を並設した方向に向って転動しようとしても（図６中一点鎖線）、この転動の進行は、これら各区画室４４に収容された液体１２の重量によって防止され、また、これに伴い、上記調圧パイプ２８の鉛直方向に延びる姿勢も、そのままの姿勢に、より確実に保持させられて、上記容器１３内の液体圧が所定の高さに維持される。
【００７３】
よって、上記容器装置８の容器１３は、これに連結させた拡散防止膜４からの引張力で転動しようとするが、この転動は防止される。このため、この容器装置８に連結された拡散防止膜４は、水中２の所定位置に、より確実に保持され、もって、汚濁水の拡散防止がより確実に行われる。
【００７４】
上記調圧パイプ２８は、その下部が二又状とされて、各調圧パイプ２８の下部が上記各区画室４４内に収容されている。
【００７５】
（第４の実施の形態）
【００７６】
図７は、第４の実施の形態を示している。
【００７７】
これによれば、上記容器装置８には液体ポンプ４７によって液体１２の注入と、吸出しによる排出とが可能とされている。
【００７８】
平面視で、岸側７など地面上に枠状に設置された複数の容器装置８の内部に水を含むへどろ４８の仮の貯留空間が成形され、つまり、上記容器装置８は水留めとして用いられている。
【００７９】
また、上記容器装置８は岸側７などの軟弱地盤上に載置して予め負荷（プレロード）を与え、地盤の強化をさせるために用いられる。
【００８０】
上記の場合、容器装置８は水留めに代えて土留めとしても用いられる。
【００８１】
（第５の実施の形態）
【００８２】
図８は、第５の実施の形態を示している。
【００８３】
これによれば、上記容器装置８は、へどろ４８の表面に浮かべられて、その上面に車両４９を走行させる板材５０が敷設され支持されている。つまり、上記容器装置８は仮設道路の構築に用いられている。
【００８４】
【発明の効果】
本発明による効果は、次の如くである。
【００８５】
請求項１の発明は、内部に液体を注入かつ収容可能とする可撓性の容器と、この容器の上面膜から上方に向って突出すると共にこの上面膜に固着され、その内孔が上記容器の内外を連通させる調圧パイプとを備えている。
【００８６】
このため、上記容器装置の容器内に液体を充満させて収容させることに加えて、上記調圧パイプ内に液体を収容させれば、単に容器内に液体を充満させたときの容器内の液体圧に加えて、上記調圧パイプの上部内の液体の高さ分だけ、上記容器内の液体圧を高くさせることができ、これにより、上記液体を収容した状態での容器の剛性を向上させることができる。
【００８７】
よって、上記容器装置の容器は、外力を与えられても、この外力に強固に対抗して変形が防止され、つまり、所定の一定形状に、より確実に保持させられ、また、これに伴い、上記調圧パイプの鉛直方向に延びる姿勢も、そのままの姿勢に、より確実に保持させられて、上記容器内の液体圧が所定の高さに維持される。この結果、上記容器装置は、水、土留め等に用いられてその機能を十分に発揮する。
【００８８】
また、上記調圧パイプ内に収容される液体の上記上面膜からの高さを所望高さに調整自在とする調整装置を備え、この調整装置が、上記調圧パイプのパイプ壁に、その長手方向に沿って複数成形される貫通孔と、これら各貫通孔をそれぞれ開閉自在に閉じる蓋体とを備えている。
【００８９】
このため、上記容器には、その内部に収容させた液体の液体圧で面方向に引張応力が生じるが、上記調圧パイプ内の液体の高さを調整することにより、上記容器内の液体圧の高さを調整することができ、これにより、上記引張応力が過大になることが防止される。
【００９０】
よって、上記容器の寿命の向上、つまり、容器装置の寿命の向上が達成される。
【００９１】
請求項２の発明は、上記容器が、その外殻を構成する外容器と、この外容器の内部に収容されて液体を注入かつ収容可能とする不透液体性膜材で成形された内容器とを備え、この内容器の上面膜に上記調圧パイプを固着させてある。
【００９２】
このため、上記容器を所定位置に搬送する場合や容器の設置後に、上記内容器がその外方から何らかの外力を受けて損傷する、ということは上記外容器によって防止される。
【００９３】
よって、上記内容器における液体の漏れの防止が長期にわたり維持されて、上記容器装置の寿命の向上が達成される。
【００９４】
請求項３の発明は、上記内容器を複数設け、これら内容器を水平方向に並設してある。
【００９５】
このため、上記容器装置の容器が上記内容器を並設した方向に向って転動しようとしても、この転動の進行は、これら各内容器に収容された液体の重量によって防止され、また、これに伴い、上記調圧パイプの鉛直方向に延びる姿勢も、そのままの姿勢に、より確実に保持させられて、上記容器内の液体圧が所定の高さに維持される。
【００９６】
よって、上記容器装置の容器は、これに与えられる外力で転動することは防止される。このため、この容器装置は、水、土留め等に用いられてその機能を十分に発揮する。
【００９７】
請求項４の発明は、上記容器の断面視で上記内容器に液体を充満させたとき、上記外容器の内面のほぼ全体にわたり、上記内容器の外面が圧接するようにしてある。
【００９８】
このため、上記容器の内容器には、その内部に収容させた液体の液体圧で面方向に引張応力が生じるが、上記液体圧が上記外容器でも支持される分、上記引張応力は小さく抑制される。
【００９９】
よって、上記したように、調圧パイプにより上記液体圧を高くさせたとしても、上記容器の寿命の向上が達成され、つまり、容器装置の寿命の向上が達成される。
【０１００】
請求項５の発明は、上記容器の内部を仕切膜で仕切って複数の区画室を成形し、これら区画室を水平方向に並設してある。
【０１０１】
このため、上記容器装置の容器が上記区画室を並設した方向に向って転動しようとしても、この転動の進行は、これら各区画室に収容された液体の重量によって防止され、また、これに伴い、上記調圧パイプの鉛直方向に延びる姿勢も、そのままの姿勢に、より確実に保持させられて、上記容器内の液体圧が所定の高さに維持される。
【０１０２】
よって、上記容器装置の容器は、これに与えられる外力で転動することは防止される。このため、この容器装置は、水、土留め等に用いられてその機能を十分に発揮する。
【図面の簡単な説明】
【図１】  第１の実施の形態で、図３の１‐１線矢視断面図である。
【図２】  第１の実施の形態で、拡散防止装置の全体側面図である。
【図３】  第１の実施の形態で、図２の部分拡大断面図である。
【図４】  第１の実施の形態で、図３の部分拡大部分断面図である。
【図５】  第２の実施の形態で、図１に相当する図である。
【図６】  第３の実施の形態で、図１に相当する図である。
【図７】  第４の実施の形態で、図２に相当する図である。
【図８】  第５の実施の形態で、図２に相当する図である。
【符号の説明】
２      水中
３      拡散防止装置
４      拡散防止膜
５      水面
６      フロート
７      岸側
８      容器装置
１２    液体
１３    容器
１４    外容器
１５    内容器
１８    支持体
１９    一端縁
２０    他端縁
２１    重し
２５    上面膜
２６    貫通孔
２８    調圧パイプ
３５    調整装置
４３    仕切膜
４４    区画室
Ａ      一方向
Ｂ      直交方向
Ｃ      高さ
【図１】
0004721313.tif 000002
【図２】
0004721313.tif 000003
【図３】
0004721313.tif 000004
【図４】
0004721313.tif 000005
【図５】
0004721313.tif 000006
【図６】
0004721313.tif 000007
【図７】
0004721313.tif 000008
【図８】
0004721313.tif 000009